(57)【特許請求の範囲】
【請求項１】
開閉扉に取り付けられ、押圧操作可能とされるとともに、キーを挿通しつつ回転操作することによりロック位置とオープン位置との間で回転可能なロータを具備したキーシリンダと、
前記開閉扉が閉状態のとき係止部と係止して当該開閉扉をロックするフック部と、
を具備し、前記開閉扉が閉状態のとき、前記ロータをロック位置まで回動操作することにより、前記フック部のロック状態を保持させるとともに、前記ロータをオープン位置まで回転操作した状態で前記キーシリンダを押圧操作することにより、前記フック部の前記係止部との係止を解いて前記開閉扉のロックを解除し得る開閉扉用ロック装置であって、
前記フック部が前記係止部に対して半掛かり状態のとき、前記キーシリンダのロータがロック位置まで回転するのを規制する規制手段を具備したことを特徴とする開閉扉用ロック装置。
【請求項２】
前記ロータは、オープン位置及びロック位置にあるときに限り前記キーの挿抜が可能とされたことを特徴とする請求項１記載の開閉扉用ロック装置。
【請求項３】
前記規制手段は、前記ロータの基端側に一体的に取り付けられたロック部材から成り、当該ロック部材は、前記フック部が前記係止部に対して完全に係止した状態のとき、当該ロータのロック位置までの回転を許容させるとともに、前記フック部が半掛かり状態のとき、当該フック部の所定部位と干渉して当該ロータのロック位置までの回転を規制するものであることを特徴とする請求項１又は請求項２記載の開閉扉用ロック装置。
【請求項４】
前記フック部の所定部位は、前記キーシリンダに対する押圧操作によって押圧され、当該フック部を前記係止部と係止した位置から係止が解除された位置まで移動させる突起部から成ることを特徴とする請求項３記載の開閉扉用ロック装置。
【請求項５】
前記キーシリンダは、前記ロータがオープン位置のときに限り押圧操作が可能とされたことを特徴とする請求項１〜４の何れか１つに記載の開閉扉用ロック装置。
【発明の詳細な説明】
【技術分野】
【０００１】
本発明は、開閉扉が閉状態のとき、ロータをロック位置まで回動操作することにより、フック部のロック状態を保持させるとともに、ロータをオープン位置まで回転操作した状態でキーシリンダを押圧操作することにより、フック部の係止部との係止を解いて開閉扉のロックを解除し得る開閉扉用ロック装置に関するものである。
【背景技術】
【０００２】
例えば建設機械や産業機械等のボンネット等から成る開閉扉には、従来より、押圧操作可能とされるとともに、キーを挿通しつつ回転操作することによりロック位置とオープン位置との間で回転可能なロータを具備したキーシリンダと、開閉扉が閉状態のとき係止部と係止して当該開閉扉をロックするフック部とを具備した開閉扉用ロック装置が配設されるものがある。かかる従来の開閉扉用ロック装置は、開閉扉が閉状態のとき、ロータをオープン位置まで回転操作した状態でキーシリンダを押圧操作することにより、フック部の係止部との係止を解いて開閉扉のロックを解除し得るようになっていた。尚、かかる先行技術は、文献公知発明に係るものでないため、記載すべき先行技術文献情報はない。
【発明の概要】
【発明が解決しようとする課題】
【０００３】
しかしながら、上記従来の開閉扉用ロック装置においては、フック部が係止部に対して完全に係止せず半掛かり状態になっていても、ロータをロック位置まで回転操作することができるため、フック部が完全に係止した状態であるのか或いは半掛かり状態であるのかを把握するのが困難となっていた。特に、通常のロータにおいては、ロータがオープン位置及びロック位置にあるとき、キーを挿抜可能とされているので、当該ロータがロック位置まで回転してしまうと、半掛かり状態であるにもかかわらずキーを抜き取ることができ、半掛かり状態であることの把握を一層困難としていた。
【０００４】
本発明は、このような事情に鑑みてなされたもので、フック部が半掛かり状態であることの把握を操作者に対して容易に行わせることができる開閉扉用ロック装置を提供することにある。
【課題を解決するための手段】
【０００５】
請求項１記載の発明は、開閉扉に取り付けられ、押圧操作可能とされるとともに、キーを挿通しつつ回転操作することによりロック位置とオープン位置との間で回転可能なロータを具備したキーシリンダと、前記開閉扉が閉状態のとき係止部と係止して当該開閉扉をロックするフック部とを具備し、前記開閉扉が閉状態のとき、前記ロータをロック位置まで回動操作することにより、前記フック部のロック状態を保持させるとともに、前記ロータをオープン位置まで回転操作した状態で前記キーシリンダを押圧操作することにより、前記フック部の前記係止部との係止を解いて前記開閉扉のロックを解除し得る開閉扉用ロック装置であって、前記フック部が前記係止部に対して半掛かり状態のとき、前記キーシリンダのロータがロック位置まで回転するのを規制する規制手段を具備したことを特徴とする。
【０００６】
請求項２記載の発明は、請求項１記載の開閉扉用ロック装置において、前記ロータは、オープン位置及びロック位置にあるときに限り前記キーの挿抜が可能とされたことを特徴とする。
【０００７】
請求項３記載の発明は、請求項１又は請求項２記載の開閉扉用ロック装置において、前記規制手段は、前記ロータの基端側に一体的に取り付けられたロック部材から成り、当該ロック部材は、前記フック部が前記係止部に対して完全に係止した状態のとき、当該ロータのロック位置までの回転を許容させるとともに、前記フック部が半掛かり状態のとき、当該フック部の所定部位と干渉して当該ロータのロック位置までの回転を規制するものであることを特徴とする。
【０００８】
請求項４記載の発明は、請求項３記載の開閉扉用ロック装置において、前記フック部の所定部位は、前記キーシリンダに対する押圧操作によって押圧され、当該フック部を前記係止部と係止した位置から係止が解除された位置まで移動させる突起部から成ることを特徴とする。
【０００９】
請求項５記載の発明は、請求項１〜４の何れか１つに記載の開閉扉用ロック装置において、前記キーシリンダは、前記ロータがオープン位置のときに限り押圧操作が可能とされたことを特徴とする。
【発明の効果】
【００１０】
請求項１の発明によれば、フック部が係止部に対して半掛かり状態のとき、キーシリンダのロータがロック位置まで回転するのを規制する規制手段を具備したので、フック部が半掛かり状態であることの把握を操作者に対して容易に行わせることができる。
【００１１】
請求項２の発明によれば、ロータは、オープン位置及びロック位置にあるときに限りキーの挿抜が可能とされたので、フック部が半掛かり状態のときはロータをロック位置まで回転できず、キーをロータから抜き取ることができない。従って、フック部が半掛かり状態であることの把握を操作者に対してより確実に行わせることができる。
【００１２】
請求項３の発明によれば、規制手段は、ロータの基端側に一体的に取り付けられたロック部材から成り、当該ロック部材は、フック部が係止部に対して完全に係止した状態のとき、当該ロータのロック位置までの回転を許容させるとともに、フック部が半掛かり状態のとき、当該フック部の所定部位と干渉して当該ロータのロック位置までの回転を規制するものであるので、半掛かり状態のときのロータのロック位置までの回転の規制をより確実に行わせることができる。
【００１３】
請求項４の発明によれば、フック部の所定部位は、キーシリンダに対する押圧操作によって押圧され、当該フック部を係止部と係止した位置から係止が解除された位置まで移動させる突起部から成るので、突起部が、フック部の係止を解除させる機能と、フック部が半掛かり状態のときロータをロック位置まで回転するのを規制する機能とを兼ね備えることができる。
【００１４】
請求項５の発明によれば、キーシリンダは、ロータがオープン位置のときに限り押圧操作が可能とされたので、開閉扉のロック解除操作をよりスムーズ且つ確実に行わせることができる。
【図面の簡単な説明】
【００１５】
【図１】本発明の実施形態に係る開閉扉用ロック装置（ロータがオープン位置の状態）を示す正面図
【図２】同開閉扉用ロック装置（ロータがロック位置の状態）を示す正面図
【図３】同開閉扉用ロック装置を示す底面図
【図４】同開閉扉用ロック装置（フック部が完全に係止した状態）を示す側面図
【図５】同開閉扉用ロック装置（ロータがオープン位置の状態）を示す背面図
【図６】同開閉扉用ロック装置を示す縦断面図
【図７】同開閉扉用ロック装置におけるケースを示す模式図
【図８】同開閉扉用ロック装置におけるロータを示す模式図
【図９】同開閉扉用ロック装置における突起部を示す模式図
【図１０】同開閉扉用ロック装置におけるロック部材を示す平面図、正面図、底面図及び側面図
【図１１】図１０におけるＸＩ−ＸＩ線断面図
【図１２】図１０におけるＸＩＩ−ＸＩＩ線断面図
【図１３】同開閉扉用ロック装置（ロータがロック位置、且つ、フック部が完全に係止した状態）を示す背面図
【図１４】同開閉扉用ロック装置（フック部が半掛かり状態）を示す側面図
【図１５】同開閉扉用ロック装置（フック部が半掛かり状態のとき、ロータをロック位置まで回動しようとした状態）を示す背面図
【発明を実施するための形態】
【００１６】
以下、本発明の実施形態について図面を参照しながら具体的に説明する。
本実施形態に係る開閉扉用ロック装置は、例えば建設機械や産業機械等の開閉扉（ボンネット等）のロック装置に適用されるもので、開閉扉が閉状態のとき、キーシリンダのロータをロック位置まで回動操作することにより、フック部のロック状態を保持させるとともに、ロータをオープン位置まで回転操作した状態でキーシリンダを押圧操作することにより、フック部の係止部との係止を解いて開閉扉のロックを解除し得るものである。
【００１７】
具体的には、本実施形態に係る開閉扉用ロック装置１は、図１〜１２に示すように、フレームＦ１及びＦ２に配設された種々構成部品から成るとともに、当該構成部品は、キーシリンダ２と、ロータ３と、フック部４と、突起部７と、規制手段としてのロック部材９とから主に構成されている。尚、フレームＦ１は、開閉扉側に固定されるとともに、フック部４と係止可能な係止部Ｋは、開閉扉の縁側（開閉扉によって開閉される開口部側）に固定される。
【００１８】
キーシリンダ２は、開閉扉に取り付けられ、押圧操作可能とされるとともに、キーを挿通しつつ回転操作することによりロック位置とオープン位置との間で回転可能なロータ３を具備したものである。このキーシリンダ２は、図６に示すように、ケース６に保持されつつ先端側（同図中左端側）がフレームＦ１より突出形成されているとともに、当該ケース６内に配設されたスプリングＳにて同図中左側に常時付勢されており、当該スプリングＳの付勢力に抗して押圧操作がなされるようになっている。尚、押圧操作時は、キーシリンダ２と共にロータ３も移動することとなる。
【００１９】
ロータ３は、図示しないキー（例えば建設機械や産業機械等のエンジン等を始動させるためのキー）を挿抜可能なキー孔３ａが形成されるとともに、当該キーの挿抜に伴って径方向に出没するタンブラＴ（図８参照）が形成されている。これにより、ロータ３は、正規のキーをキー孔３ａに挿通することにより、タンブラＴによるキーシリンダ２との係止を解き、ロック位置（図１参照）とオープン位置（図２参照）との間で回転操作が可能とされている。また、ロータ３は、オープン位置及びロック位置にあるときに限りキーの挿抜が可能とされており、当該ロータ３がオープン位置とロック位置との間にあるとき、キー孔３ａからキーを抜き取ることが規制されている。
【００２０】
更に、ロータ３には、図８に示すように、その基端側（同図（ａ）中右端側）に一対のリブ３ｂ（径方向への突出部）が形成されるとともに、ケース６には、図７に示すように、当該リブ３ｂと対応した形状の一対の溝６ａａが形成されている。かかる溝６ａａは、ケース６における孔６ａの縁部に形成されているとともに、オープン位置にあるロータ３のリブ３ｂと合致する位置に形成されている。
【００２１】
即ち、ロータ３がオープン位置にないとき（例えばロック位置にあるとき）キーシリンダ２を押圧操作すると、リブ３ｂが溝６ａａと合致せず、当該ロータ３の孔６ａに対する挿通が規制される一方、ロータ３がオープン位置にあるときキーシリンダ２を押圧操作すると、リブ３ｂが溝６ａａと合致し、当該ロータ３の孔６ａに対する挿通が許容されるのである。これにより、キーシリンダ２は、ロータ３がオープン位置のときに限り押圧操作が可能とされている。
【００２２】
フック部４は、開閉扉が閉状態のとき略Ｕ字状に形成された係止部Ｋと係止して当該開閉扉をロックするもので、図４に示すように、フレームＦ２に形成された回動軸Ｌを中心に回動自在とされるとともに、トーションバネ５によって係止部Ｋと係止する方向に常時付勢されている。また、フック部４には、係止部Ｋと係止可能な係止溝４ａが形成されており、開閉扉を閉状態とすると、係止溝４ａに係止部Ｋが嵌入して係止されるよう構成されている。尚、図中符号４ｂは、フック部４に形成された補助係止溝を示しており、当該補助係止溝４ｂによって、係止溝４ａに対する係止が不完全な状態（半掛かり状態）のとき、開閉扉の開放が規制されている。
【００２３】
更に、フック部４には、キーシリンダ２に対する押圧操作によって押圧され、当該フック部４を係止部Ｋと係止した位置から係止が解除された位置まで移動させる突起部７が形成されている。かかる突起部７は、フック部４の側方に向かって突出形成されたピン状部材から成り、図９に示すように、突端側に切欠７ａが形成されており、当該切欠部７ａが略平面とされている。
【００２４】
然るに、ロータ３の基端側（当該基端とロック部材９との間の位置）には、板状の押圧プレート８が配設されており、キーシリンダ２を押圧操作するのに伴って当該押圧プレート８も同方向に移動するよう構成されている。押圧操作によって押圧プレート８が移動すると、当該押圧プレート８が突起部７に当接し、同方向に押圧されることとなる。これにより、フック部４がトーションバネ５の付勢力に抗して回動し、係止部Ｋとの係止が解かれる。而して、開閉扉が閉状態のとき、ロータ３をロック位置まで回動操作することにより、フック部４のロック状態を保持させるとともに、ロータ３をオープン位置まで回転操作した状態でキーシリンダ２を押圧操作することにより、フック部４の係止部Ｋとの係止を解いて開閉扉のロックを解除し得るようになっている。
【００２５】
ここで、本実施形態に係る開閉扉用ロック装置おいては、ロータ３の基端側に一体的に取り付けられたロック部材９（規制手段）を具備しており、これにより、フック部４が係止部Ｋに対して半掛かり状態のとき（図１４参照）、キーシリンダ２のロータ３がロック位置まで回転するのを規制し得るようになっている。より具体的には、ロック部材９は、ネジ１０によってロータ３の基端に固定されて当該ロータ３と共に動作可能な部品から成り、図１０〜１２に示すように、干渉部位９ａと、非干渉部位９ｂと、ネジ１０を挿通可能な挿通孔９ｃとが一体的に形成されている。
【００２６】
干渉部位９ａは、フック部４が半掛かり状態（図１４参照）のとき、図１５に示すように、当該フック部４の突起部７（所定部位）と干渉して当該ロータ３のオープン位置からロック位置までの回転を規制するための部位である。尚、フック部４が半掛かり状態のとき、突起部７の切欠７ａ（略平面）と干渉部位９ａとの互いの面が当接して干渉するよう設定されており、干渉時の破損等が抑制されている。
【００２７】
非干渉部位９ｂは、フック部４が係止部Ｋに対して完全に係止された状態（図４参照）のとき、図１３に示すように、当該フック部４の突起部７（所定部位）と干渉せず、当該ロータ３のオープン位置からロック位置までの回転を許容させるための部位である。即ち、フック部４が半掛かり状態のとき、突起部７が干渉部位９ａの形成位置になるよう設定されており、ロータ３の回転時に突起部７に干渉部位９ａが干渉する一方、フック部４が係止部Ｋに対して完全に係止された状態のとき、突起部７が非干渉部位９ｂの形成位置に至るよう設定されており、当該ロータ３の回転が許容されるのである。
【００２８】
而して、本実施形態に係るロック部材９は、フック部４が係止部Ｋに対して完全に係止した状態のとき、ロータ３のロック位置までの回転を許容させるとともに、フック部４が半掛かり状態のとき、当該フック部４の突起部７（所定部位）と干渉して当該ロータ３のロック位置までの回転を規制するものとされている。これにより、フック部４が半掛かり状態のときのロータ３のロック位置までの回転の規制をより確実に行わせることができる。
【００２９】
上記実施形態によれば、フック部４が係止部Ｋに対して半掛かり状態のとき、キーシリンダ２のロータ３がロック位置まで回転するのを規制するロック部材９（規制手段）を具備したので、フック部４が半掛かり状態であることの把握を操作者に対して容易に行わせることができる。特に、ロータ３は、オープン位置及びロック位置にあるときに限りキー孔３ａに対するキーの挿抜が可能とされたので、フック部４が半掛かり状態のときはロータ３をロック位置まで回転できず、キーをロータ３から抜き取ることができない。従って、フック部４が半掛かり状態であることの把握を操作者に対してより確実に行わせることができる。
【００３０】
また、フック部４の所定部位（ロック部材９における干渉部位９ａとの干渉部）は、キーシリンダ２に対する押圧操作によって押圧され、当該フック部４を係止部Ｋと係止した位置から係止が解除された位置まで移動させる突起部７から成るので、突起部７が、フック部４の係止を解除させる機能と、フック部４が半掛かり状態のときロータ３をロック位置まで回転するのを規制する機能とを兼ね備えることができる。尚、突起部７とは別個、ロック部材９における干渉部位９ａとの干渉部（所定部位）をフック部４に形成するようにしてもよい。
【００３１】
更に、キーシリンダ２は、ロータ３がオープン位置のときに限り押圧操作が可能とされたので、当該ロータ３がロック位置にある状態或いはロータ位置とオープン位置との間にある状態では押圧操作自体が不可能とされ、開閉扉のロック解除操作をよりスムーズ且つ確実に行わせることができる。尚、押圧操作が不可能であればロータ３がロック位置にあることが分かるので、夜間等周囲が暗くて視認困難な場合においても、ロック状態の確認を行わせることができる。
【００３２】
以上、本実施形態について説明したが、本発明はこれに限定されず、例えばフック部４に補助係止溝４ｂが形成されないもの（即ち、フック部４に係止溝４ａのみ形成されたもの）、或いはフック部４の付勢をトーションバネ５以外の汎用的な付勢手段等で行わせるもの等としてもよい。また、ロック部材９は、フック部４が係止部Ｋに対して半掛かり状態のとき、キーシリンダ２のロータ３がロック位置まで回転するのを規制する規制手段であれば足り、上記実施形態と異なる形態のものとしてもよい。尚、本実施形態においては、建設機械や産業機械等の開閉扉に適用されているが、自動車や二輪車等の汎用的な車両の開閉扉に適用してもよい。
【産業上の利用可能性】
【００３３】
フック部が係止部に対して半掛かり状態のとき、キーシリンダのロータがロック位置まで回転するのを規制する規制手段を具備した開閉扉用ロック装置であれば、外観形状が異なるもの或いは他の機能が付与されたもの等にも適用することができる。
【符号の説明】
【００３４】
１  開閉扉用ロック装置
２  キーシリンダ
３  ロータ
４  フック部
５  トーションバネ
６  ケース
７  突起部（所定部位）
８  押圧プレート
９  ロック部材（規制手段）
１０  ネジ
Ｋ  係止部
【図１】
0005392916.tif 000002
【図２】
0005392916.tif 000003
【図３】
0005392916.tif 000004
【図４】
0005392916.tif 000005
【図５】
0005392916.tif 000006
【図６】
0005392916.tif 000007
【図７】
0005392916.tif 000008
【図８】
0005392916.tif 000009
【図９】
0005392916.tif 000010
【図１０】
0005392916.tif 000011
【図１１】
0005392916.tif 000012
【図１２】
0005392916.tif 000013
【図１３】
0005392916.tif 000014
【図１４】
0005392916.tif 000015
【図１５】
0005392916.tif 000016